(57)【要約】【課題】薬液容器を吊り下げ支持する支持部を不使用時に邪魔にならないようにする。【解決手段】筒状の本体部11と、本体部11の内部に収納され且つ本体部11の内部から上方に伸長して固定される伸縮自在の伸縮棒状部12と、その上方部に設けられた点滴用薬剤を吊り下げ支持する支持部13とからなる点滴用スタンドである。２つの支持部13を伸縮棒状部12の上端部に回動自在に設ける。これらの支持部13を回動させて伸縮棒状部12と同じ長手方向に整列させることにより、これら支持部13を伸縮棒状部12と同様に本体部11の内部に収納することができる。支持部13の先端には略円弧形状の吊り下げ部14を設ける。この吊り下げ部14は支持部13を上方に回動して重ね合わせると円環状に形成される。固定手段15として本体部11上端に設けられた摺動筒体16の一つの動作でロック及びロック解除可能とした。【選択図】図１
2010253121.tif 000002
【特許請求の範囲】
【請求項１】
筒体形状を有する本体部(11)と、本体部(11)の内部に収納され且つ本体部(11)の内部から上方に伸長して固定される伸縮自在の伸縮棒状部(12)と、その上方部に設けられた点滴用薬剤を吊り下げ支持する支持部(13)とからなる点滴用スタンドにおいて、
１又は２以上の支持部(13, 13)を伸縮棒状部(12)の上方部に回動自在に設け、
これらの支持部(13, 13)を回動させて伸縮棒状部(12)と同じ長手方向に整列させることにより、これら支持部(13, 13)を伸縮棒状部(12)と同様に本体部(11)の内部に収納できることを特徴とする点滴用スタンド。
【請求項２】
伸縮棒状部(12)を本体部(11)に収納する際に、支持部(13, 13)を上方に回動するように設け、支持部(13, 13)の先端部に略円弧状の吊り下げ部(14)を形成し、この吊り下げ部(14)の直径長さを本体部(11)の内径よりも大きく形成することにより、吊り下げ部(14)が本体部(11)の上端部に当接して吊り下げ部(14)が本体部(11)の内部に収納されないことを特徴とする請求項１に記載の点滴用スタンド。
【請求項３】
伸縮棒状部(12)を本体部(11)に収納する際に、２つの支持部(13, 13)を上方に回動するように設け、両支持部(13, 13)の先端部に略円弧状の吊り下げ部(14)を形成し、これらの両支持部(13, 13)を上方に回動して重ね合わせることにより、２つの吊り下げ部(14, 14)が円環状に形成され、この円環状に形成された吊り下げ部(14, 14)に手の指等を挿通させて伸縮棒状部(12)を本体部(11)に収納又は本体部(11)から伸長することができることを特徴とする請求項１又は２に記載の点滴用スタンド。
【請求項４】
伸縮棒状部(12)が本体部(11)から伸長され、所定長さで固定する固定手段(15)が、本体部(11)の上端部で半径方向に出没する１又は２以上のストッパーボール(21)と、このストッパーボール(21)を常に軸芯方向に付勢するための摺動筒体(16)とから構成し、この摺動筒体(16)を本体部(11)の上端外周に設け、摺動筒体(16)内周と本体部(11)外周との間にコイルスプリング(18)等の弾性部材を介在させることにより摺動筒体(16)を上方又は下方に付勢して上記ストッパーボール(21)を軸芯方向に常時付勢できるようにし、伸縮棒状部(12)の下方部外周面には環状溝部(23)を形成して前記ストッパーボール(21)と適合できるように構成し、
これによって、伸縮棒状部(12)の環状溝部(23)と本体部(11)側のストッパーボール(21)が適合することにより伸縮棒状部(12)が本体部(11)に固定され、摺動筒体(16)を付勢方向に反して移行させることによりストッパーボール(21)が摺動筒体(16)内周面の大きい内径を有する径大部(19)と適合して外側に移行することにより、両者の適合が解除され、伸縮棒状部(12)と本体部(11)との固定が解除されることを特徴とする請求項１乃至３の何れか１項に記載の点滴用スタンド。  
【請求項５】
本体部(11)を車椅子又はキャスター付き歩行器等の移動体或いはベッド等の病室設備品の適宜位置に固定したことを特徴とする請求項１乃至４の何れか１項に記載の点滴用スタンド。
【発明の詳細な説明】
【技術分野】
【０００１】
本発明は、医薬品の点滴を行うために使用する点滴用スタンドに関するものである。
【背景技術】
【０００２】
従来から良く知られている点滴用スタンドとしては、下端にキャスター付の複数脚部を有し、その脚部の中央部から鉛直上方に棒状体が垂立し、この棒状体は上下方向に伸縮自在に構成され、この棒状体の上端部に点滴用薬液容器を吊り下げるための支持部が横方向に張り出すように形成されたものがある。
【０００３】
下記特許文献１においては、片手で簡単に高さ調節ができ、且つ調整位置に自動的にロックすることができる点滴液容器等のための用具支持スタンドを開示している。
また下記特許文献２に記載の点滴ボトル用スタンドにおいては、分解組立て可能なもので、そのスタンドとして多数本の単位短管を順次嵌合して伸縮自在としたものである。
これらの何れの発明においても、スタンドの上端部に位置する薬液を吊り下げる用具支持ヘッド或いはハンガー杆は、略水平方向（略横方向）に張り出すように形成されたものである。
【先行技術文献】
【特許文献】
【０００４】
【特許文献１】特開２００３−３３９８２３号公報
【特許文献２】実用登録第３１１９９３３号公報
【発明の概要】
【発明が解決しようとする課題】
【０００５】
本発明においては、まず車椅子に使用する点滴用スタンドの開発に取り掛かり、その際にスタンドの上端部に位置する薬液容器を吊り下げて支持する支持部が、不使用時にはこれが横方向に張り出した状態となるために、スタンドの上部を下方に収縮させた際に車椅子に腰掛けている患者の背部や頭部等にぶつかり、邪魔になるという点が大きな問題となっていた。
上記従来の点滴用スタンドにおいては、どれも上記の薬液容器の支持部が略水平方向に張り出したままのものであったため、本発明においては、この支持部が不使用時においても邪魔にならないものを創案することがその第一の課題である。
【０００６】
次に、スタンドの伸縮構造としては、従来から種々のものがあるが、本発明においては、より簡単に固定できる固定構造を提供することも本発明の課題となる。そしてこの固定構造もワンタッチで簡単にロックでき、且つこのロックをワンタッチで解除できるような構造を提供することもその課題としている。
また、本発明に係る点滴用スタンドは、伸縮自在の支柱とその上端部の薬液支持部の構造に関するものであるため、このスタンドの使用場面が全く自由となり、棒状の直立スタンドが固定できる部位であればどのような部位でも、またどのような場所又は物にも固定して使用することが可能となるものである。
【課題を解決するための手段】
【０００７】
上記課題を解決するために、本発明の第１のものは、筒体形状を有する本体部と、本体部の内部に収納され且つ本体部の内部から上方に伸長して固定される伸縮自在の伸縮棒状部と、その上方部に設けられた点滴用薬剤を吊り下げ支持する支持部とからなる点滴用スタンドにおいて、１又は２以上の支持部を伸縮棒状部の上方部に回動自在に設け、これらの支持部を回動させて伸縮棒状部と同じ長手方向に整列させることにより、これら支持部を伸縮棒状部と同様に本体部の内部に収納できることを特徴とする点滴用スタンドである。
尚、支持部は、伸縮棒状部の上方部で回動自在に設けているが、この回動方向は全く自由で、要するに何れに方向に回動させてもよく、伸縮棒状部と一列に整列できればよい。伸縮棒状部の軸方向に長い切り込み部を形成して、この切り込み部の内部に支持部を回動・収納して一列にすることもできる。
【０００８】
本発明の第２のものは、上記第１の発明において、伸縮棒状部を本体部に収納する際に、支持部を上方に回動するように設け、支持部の先端部に略円弧状の吊り下げ部を形成し、この吊り下げ部の直径長さを本体部の内径よりも大きく形成することにより、吊り下げ部が本体部の上端部に当接して吊り下げ部が本体部の内部に収納されないことを特徴とする点滴用スタンドである。
【０００９】
本発明の第３のものは、上記第１又は第２の発明において、伸縮棒状部を本体部に収納する際に、２つの支持部を上方に回動するように設け、両支持部の先端部に略円弧状の吊り下げ部を形成し、これらの両支持部を上方に回動して重ね合わせることにより、２つの吊り下げ部が円環状に形成され、この円環状に形成された吊り下げ部に手の指等を挿通させて伸縮棒状部を本体部に収納又は本体部から伸長することができることを特徴とする点滴用スタンドである。
【００１０】
本発明の第４のものは、上記第１乃至第３のぞれぞれの発明において、伸縮棒状部が本体部から伸長され、所定長さで固定する固定手段が、本体部の上端部で半径方向に出没する１又は２以上のストッパーボールと、このストッパーボールを常に軸芯方向に付勢するための摺動筒体とから構成し、この摺動筒体を本体部の上端外周に設け、摺動筒体内周と本体部外周との間にコイルスプリング等の弾性部材を介在させることにより摺動筒体を上方又は下方に付勢して上記ストッパーボールを軸芯方向に常時付勢できるようにし、伸縮棒状部の下方部外周面には環状溝部を形成して前記ストッパーボールと適合できるように構成し、これによって、伸縮棒状部の環状溝部と本体部側のストッパーボールが適合することにより伸縮棒状部が本体部に固定され、摺動筒体を付勢方向に反して移行させることによりストッパーボールが摺動筒体内周面の大きい内径を有する径大部と適合して外側に移行することにより、両者の適合が解除され、伸縮棒状部と本体部との固定が解除されることを特徴とする点滴用スタンドである。
【００１１】
本発明の第５のものは、上記それぞれの発明において、本体部を車椅子又はキャスター付き歩行器等の移動体或いはベッド等の病室設備品の適宜位置に固定したことを特徴とする点滴用スタンドである。
【発明の効果】
【００１２】
本発明の第１のものにおいては、伸縮棒状部の上方部に設けられた点滴用薬液を支持する支持部が、伸縮棒状部の上方部に回動自在に設けられ、これら支持部を伸縮棒状部と同一の長手方向に整列させることにより、筒状本体部の内部に伸縮棒状部と共に収納され得ることとなるのである。
つまり、伸縮棒状部を本体部内部に収納すると同時に、支持部も本体部内部に収納されるために、不使用時にスタンドを上下に短く収縮させた際に、支持部が横方向に張り出すことがなくなり、支持部が全く邪魔にならないこととなる。
とりわけ、この点滴用スタンドを車椅子に固定した場合には、その不使用時に、背もたれ部背面の一方のフレーム側で伸縮棒状部と支持部とが本体部内部に収納されて支持部が車椅子使用者の背面、頭部等に衝突する恐れが無くなるのである。
【００１３】
本発明の第２のものにおいては、薬液支持部の先端部に略円弧形状の吊り下げ部を形成し、この吊り下げ部の直径長さを筒状本体部の内径よりも大きくしたために、この吊り下げ部が本体部の内部に収納されないために、伸縮棒状部を引き出す際の、引き出し片としての機能を果たすことができる。
【００１４】
本発明の第３のものにおていも、上記第２の発明と同様の効果を果たし、更に、２つの吊り下げ部が重ね合わされて円環形状となり、この円環形状に形成された吊り下げ部に手の指等を挿通させて、伸縮棒状部を収縮させたり、伸長させたりすることが容易となる。
【００１５】
本発明の第４のものにおいては、筒状本体部と伸縮棒状部との固定手段についてより具体的に限定したものであり、本体部上端部外周に設けた摺動筒体をその内部に設備されたコイルスプリングの機能により、摺動筒体が所定の位置に付勢された状態を維持し、この付勢された状態で、本体部上端部の半径方向に出没するストッパーボールを軸芯方向に付勢して、本体部の内壁面から突出するように構成し、このストッパーボールが伸縮棒状部の下端部分の外周面に形成された環状溝部と適合することにより、伸縮棒状部が本体部に固定されることとなるのである。
そして、摺動筒体を付勢方向と逆に移動させることにより、摺動筒体の内周面の内径の大きい径大部に前記ストッパーボールが適合することにより、このストッパーボールが半径方向外側に移行して、伸縮棒状部の環状溝部から離脱し、伸縮棒状部と本体部とのロックが解除され、伸縮棒状部が本体部の内部で上下方向に移動可能となるのである。
このように、摺動筒体の一方向への動作により、伸縮棒状部は、本体部内部からの固定の解除が行われ、本体部から伸長され、或いは本体部内部に収納されることとなるのである。
従って、従来のような、螺子による締め付け等の手間の掛かる作業は全く不要となり、摺動筒体の一方向への動作のみで、簡単に伸縮棒状部を伸縮させることができるのである。
【００１６】
本発明の第５のものにおいては、本発明に係る点滴用スタンドは、車椅子は勿論のこと、キャスター付き歩行器や、ベッド等の病室内の種々の設備品の適宜位置に固定して利用することができるものとなり、しかも伸縮棒状部を本体部内に収納した際には、その上端部に設けられた支持部が邪魔になることが全く無くなるのである。
尚、本発明においては、本体部の下端部に直接キャスター付きの複数の脚部を設けて実施することもできることは勿論である。
【図面の簡単な説明】
【００１７】
【図１】本発明の一実施形態に係る点滴用スタンドを車椅子の背もたれ部背面側のフレームに固定した状態を示す斜視説明図である。
【図２】上記実施形態に係る伸縮棒状部の上端部分を示す説明図であり、その（Ａ）が支持部が開放している状態を示し、その（Ｂ）が両支持部が上方に回動して伸縮棒状部と同じ方向に整列した状態を示し、その（Ｃ）が図２（Ａ）のＳ−Ｓ線断面を示している。
【図３】上記実施形態に係る伸縮棒状部を、図２（Ｂ）の状態から下方に移行して、伸縮棒状部の先端部の手前まで本体部の内部に収納させた状態を図示する説明図である。
【図４】上記実施形態に係る伸縮棒状部を、上記図３の状態から更に本体部内部に収納し、且つ支持部をも本体部内部に完全に収納した状態を図示する説明図である。
【図５】上記実施形態に係る固定手段を図示する断面図であり、その（Ａ）が伸縮棒状部をロックした状態を示し、その（Ｂ）が前記ロックが解除され、伸縮棒状部が上下に移動可能な状態を示すものである。
【発明を実施するための形態】
【００１８】
以下、添付の図面と共に本発明の一実施形態について説明する。
図１は、本発明の一実施形態に係る点滴用スタンドを車椅子の背もたれ部背面側のフレームに固定した状態を示す斜視説明図である。
本発明に係る点滴用スタンド１０は、その下方部分に位置する丸パイプからなる本体部１１と、この本体部１１の上端で伸縮自在に設けられた伸縮棒状部１２と、伸縮棒状部１２の上端部に回動自在に軸着されている２本の支持部１３、１３と、伸縮棒状部１２を伸長して所定高さに固定する固定手段１５とから構成されている。
【００１９】
支持部１３は、それぞれ薄板金属製の細長い板状体を使用しているが、支持部１３のそれぞれの先端部には、薬液を吊り下げるための吊り下げ部１４が形成されている。
上記構成部材の全ては金属製である。
本体部１１は、車椅子のフレームに図には明瞭に現れていないが、螺子により固定されている。この本体部の固定はどのような手段を用いてもよい。
【００２０】
固定手段１５は、後に詳述するが、本体部１１の上端部外周に本体部１１に沿って上下に移動する摺動筒体１６を内部のコイルスプリングの不勢力に対抗して下方に移動させることにより、内部のストッパーボールによるロックが解除されて、伸縮棒状部１２が本体部１１の内部に収納されるように構成されている。
【００２１】
伸縮棒状部１２の上端に回動自在に設けられる支持部１３、１３についても、後に詳述するが、これら２つの支持部１３、１３は、それぞれの根元部が、伸縮棒状部１２の上端部中央で長手方向に形成された切込部の内部に軸着されている。
図１の状態で、即ち支持部１３が外側に開放された状態で、支持部１３の一方の側縁部が伸縮棒状部１２の上端部の切込部の底面に当接して、その開放角度が決定される。
【００２２】
この実施形態での開放角度θ（伸縮棒状部１２の延長線（中心線）からの角度）は、90度よりもやや小さく、斜め上方に緩やかに傾斜した状態となるように設定している。この開放角度θは、切込部の底面の形状により必要に応じて設定することができる。
これらの支持部１３、１３は、後に説明するが、それぞれ上方に回動させて、伸縮棒状部１２と同じ長手方向直線状に整列させて、下方の筒状の本体部１１の内部に収納させることができる。
尚、後に説明するが、上記支持部は下方側に回動させて、即ち、左側の支持部１３を右回転させ、右側の支持部１３を左回転させて、伸縮棒状部の内部に収納させるように構成することもできる。
【００２３】
図２は、上記伸縮棒状部１２の上端部分を示す説明図であり、その（Ａ）が支持部が開放している状態を示し、その（Ｂ）が両支持部が上方に回動して伸縮棒状部と同じ方向に整列した状態を示し、その（Ｃ）が図２（Ａ）のＳ−Ｓ線断面を示している。
これらの図から良く解る通り、支持部１３、１３は、（Ａ）図の開放状態から（Ｂ）図の上方に収束した状態へと回動することができ、この収束した（Ｂ）図の状態で、支持部１３、１３は、伸縮棒状部１２と直線的に一列に整列することができる。
（Ｃ）図は、（Ａ）図のＳ−Ｓ線断面を示しており、支持部１３の根元部が伸縮棒状部１２の上端部中央軸方向に切込部１７が設けられ、この切込部１７の内部で両支持部１３、１３の根元部が軸着され、回動自在に形成されている。
【００２４】
この図２から見て取れるように、支持部１３、１３のそれぞれの先端には、線条材から形成された吊り下げ部１４、１４が設けられいている。
これらの吊り下げ部１４は、金属製の線条材を略円弧状に形成したものであり、薬液容器等を吊り下げるために、上方部に切欠部１４ｋを設けているが、両方の吊り下げ部１４を上方で重ね合わせると、丁度閉鎖した円環状部１４ｅを形成することになる（図２（Ｂ））。
【００２５】
従って、この点滴用スタンドを使用する際は、この円環状部１４ｅに手の指等を挿通させて伸縮棒状部１２を本体部から引き出したり、その内部に収納させたりするのに便利なものとなる。
また、この吊り下げ部１４の直径方向の長さは、筒状本体部１１の内径よりも大きく形成しているために、伸縮棒状部１２を筒状本体部１１の内部に収納する際の、ストッパーの機能をも果たすのである。
勿論、本体部と伸縮棒状部の長さをそれぞれ所定長さに設定し、本体部の下端部を閉鎖することにより、或いは、本体部の下方部に伸縮棒状部の下端に当接するストッパーを所定位置に設けることにより、上記のような吊り下げ部１４をストッパーとして使用せずに実施することも可能である。
【００２６】
図３は、図２（Ｂ）の状態から伸縮棒状部を下方に移行して、伸縮棒状部の先端部の手前まで筒状本体部の内部に収納させた状態を図示した説明図である。
この図では、固定手段１５の摺動筒体１６が上方位置に位置していて、本来ロック状態となるのであるが、これは伸縮棒状部１２の先端部の外径を徐々に細く形成している関係で、内部のストッパーボールが本体部１１の内壁から突出した状態（ロック状態）となっているからである。これについては後に説明する。
【００２７】
このように、本発明に係る点滴用スタンド１０においては、伸縮棒状部１２の先端部に設けられた２つの支持部１３、１３を上方に回動して、直線状とし、伸縮棒状部１２と同じ方向に一列にすることにより、筒状本体部１１の内部に伸縮棒状部１２と共に収納させることができるのである。
それ故、不使用時には、これらの支持部１３、１３が横方向に張り出すことがなく、邪魔になることが全く無くなるのである。
【００２８】
図４は、上記図３の状態から更に伸縮棒状部を筒状本体部内部に収納し、且つ支持部をも本体部内部に完全に収納した状態を図示する説明図である。
この図から明瞭に解るとおり、支持部の先端部に形成された吊り下げ部１４、１４が筒状本体部１１の上端部１１ｕに当接して、この吊り下げ部１４、１４がストッパーとしての役目を担うと共に、円環状部１４ｅが形成され、この円環状部１４ｅを利用して使用者は伸縮棒状部を引き出したり、収納させたりすることができる。
【００２９】
図５は、本発明に係る上記実施形態に係る固定手段を図示する断面図であり、その（Ａ）が伸縮棒状部をロックした状態を示し、その（Ｂ）が前記ロックが解除され、伸縮棒状部が上下に移動可能な状態を示したものである。
本発明においては、伸縮棒状部１２がワンタッチで固定（ロック）され、そしてまたワンタッチでロック解除ができるようにするために、この構成を採用した。
また、この構成は、上下全く反対に、つまり対称にして形成することができるものである。
【００３０】
まず、筒状本体部１１の上方端部分には、その周方向等間隔に４個のストッパーボール２１（鋼球）が、本体部１１の内壁面から半径方向中心に向かって出没できるような貫通孔２２が形成されている。このストッパーボール２１の数は、１個以上自由である。
このストッパーボール２１に適合する環状溝部２３を伸縮棒状部１２の下端部分外周面に形成する。この環状溝部２３にストッパーボール２１が適合することにより、伸縮棒状部１２は上下に移動不可となり、固定された状態となる。
即ち、この図５（Ａ）の状態で、ストッパーボール２１は、本体部１１の内周面から突出した状態となっている。
【００３１】
筒状本体部１１の上方端外周には、摺動筒体１６が上下移動可能に設備される。この摺動筒体１６と筒状本体部１１の上端外周面との間にはコイルスプリング１８が介装され、摺動筒体１６を常に上方Ｕに付勢した状態としている。
摺動筒体１６の上方内周面は、その内径を大きく形成した径大部１９が形成され、摺動筒体１６を下方Ｄに移行させた際（図５（Ｂ）の状態）に、この径大部１９にストッパーボール２１が適合して、ストッパーボール２１が半径方向外側に移動することにより、ロックが解除され、伸縮棒状部１２が下方に移行することが出来ることとなるのである。
【００３２】
２０は、摺動筒体１６が下方に移行する最下点を規定する下方移行阻止部であり、図では明確に示していないが、ナットを利用して固定したものである。
この下方移行阻止部２０は、摺動筒体１６が下方に移行し過ぎると、ストッパーボール２１が外部に飛び出す恐れがあるので、設けているものである。
【００３３】
ここで、本発明に係る点滴用スタンドの使用法をまとめると以下の通りとなる。
先ず、図４に図示した伸縮棒状部の収納状態で、固定手段１５の摺動筒体１６を手等により下方に押し下げて図５（Ｂ）の状態として、上端部の吊り下げ部１４の円環状部１４ｅに手の指等を挿通して上方に引き上げる。これによりロックが解除されて、上端の支持部及び伸縮棒状部が筒状本体部から外部に現れ、上方に伸張して来る。
この状態で、摺動筒体１６の下方への押し下げ力弱めてもよく、なぜなら、ストッパーボール２１は、伸縮棒状部１２の外周面から外側方向に押し出された状態を維持するからである。
【００３４】
そのまま更に伸縮棒状部１２を上方に引き上げて行くと、今度は、伸縮棒状部１２の下端部分の外周面に形成されている環状溝部２３にストッパーボール２１が適合する。
このストッパーボール２１が環状溝部２３に適合すると、摺動筒体１６がコイルスプリング１８の不勢力により上方に移行して、伸縮棒状部１２の上方への移動が阻止されてロックされた状態となる。
従って、摺動筒体１６を下方に押し下げ、伸縮棒状部１２を上方に引き上げ、その下端部の環状溝部２３の位置にストッパーボール２１が来て、適合することにより摺動筒体１６が元に位置に復帰して伸縮棒状部１２がロックされるのである。
【００３５】
次に、図２（Ｂ）から図２（Ａ）の状態に示した通り、伸縮棒状部１２の上端部の支持部１３、１３を両側に広げるように回動させて、両側に拡開し、点滴用スタンド１０の使用可能状態となる。
最後に、支持部１３の先端の吊り下げ部に薬液容器を吊り下げて点滴を行うことができる。
点滴終了後、本発明に係る点滴用スタンドを収納するときは、上記手順と逆の手順により、筒状本体部内に伸縮棒状部及び支持部を収縮し、収納させることができるのである。
【００３６】
尚、本発明の伸縮棒状部１２においては、その上方部分を徐々に細径に形成した関係上、伸縮棒状部を筒状本体部の内部に収納完了時、ストッパーボールが本体部内壁面からその中心方向に突出した状態（図４の状態）となるので、この状態で伸縮棒状部が上方に伸長されないという効果も有することとなり、収縮した状態でロックされた状態を維持するものとなっている。
伸縮棒状部を上方に引き出す際には、固定手段の摺動筒体を下方に移行させなければ引き出せないように構成しているのである。
【００３７】
以上、実施形態について説明したが、本発明においては以下の通り種々設計変更が可能である。
先ず、本発明に係る点滴用スタンドは、その下端部に脚部を設けたり、或いは車椅子や歩行器等の移動体に固定して利用することも出来るし、ベッド等の病室内の各種の施設に直接固定して利用することもできる。
【００３８】
筒状本体部及び伸縮棒状部の長さや太さ等は適宜設計することができる。
伸縮棒状部は棒状体でなく、管体から形成することもできる。
伸縮棒状部の上端に設ける支持部は、通常は１つ又は２つであるが、薄い板状体を使用することにより、場合により３つ以上設けることも可能である。
支持部の先端部に設ける吊り下げ部も種々設計変更可能であり、上記実施形態のような略円弧状のものでなくとも実施可能である。
【００３９】
支持部の先端部に直接切欠部や凹所を設けて吊り下げ部とすることもできるし、上記実施形態における略円弧状の吊り下げ部の外径を小さくすることにより、筒状本部内部に収納させることもできる。
支持部の開放角度も容易に変更可能である。
【００４０】
支持部の回動方向は、上記の実施形態では、開いた状態から上方に垂立するように略９０度程度回動するように構成したが、この支持部の回動は、収納時に伸縮棒状部と同一の方向に整列すればよいので、支持部の伸縮棒状部への取り付けはこれ以外の取り付けも可能である。
即ち、図２に図示したように、両支持部を上方側に回動するのではなく、伸縮棒状部の切込部を下方に長く形成し、左側の支持部を右回転させ、右側の支持部を左回転させて、伸縮棒状部の切込部の内部に収束させることもできる。
【００４１】
また、伸縮棒状部の切込部を長く形成し、支持部の軸支位置を上端部から支持部の長さ分下方に配置することにより、両支持部を上方に回動させて、伸縮棒状部の切込部内部に両支持部を収束させることもできる。
このように、支持部の回動方向は、全く自由に設計することができ、要するに、支持部は、伸縮棒状部の上方で、或いは、伸縮棒状部の切込部内部に収束するさせて、伸縮棒状部と整列させて実施することができるのである。
【００４２】
固定手段についても、従来から存在する螺子等による固定でもよい。しかし、上記本発明のような構成を採用すれば、摺動筒体の一つの動作で、簡単にロック及びロック解除を容易に行うことができる。
上記実施形態における固定手段は、その構成を上下逆にして、摺動筒体を下方に移行させることによってロック解除するのではなく、摺動筒体を上方に移行させてロック解除するように構成することもできるのである。
以上、本発明は、筒状本体部内部に伸縮棒状部及び支持部等を簡単に収納でき、不使用時には１本の筒状本体部のみの体積に収束できる極めて画期的な点滴用スタンドを提供することができた。
【符号の説明】
【００４３】
１０  点滴用スタンド
１１  本体部
１２  伸縮棒状部
１３  支持部
１４  吊り下げ部
１５  固定手段
１６  摺動筒体
１８  コイルスプリング
１９  径大部
２１  ストッパーボール
２２  貫通孔
２３  環状溝部
【図１】
2010253121.tif 000003
【図２】
2010253121.tif 000004
【図３】
2010253121.tif 000005
【図４】
2010253121.tif 000006
【図５】
2010253121.tif 000007